(57)【要約】      （修正有）【課題】構造が簡易な折り畳み式のテーブルを提供する。【解決手段】前後方向に延びる頂板部１１の前端部と後端部から第一脚部１２と第二脚部を垂下設した中央部材１０と、中央部材の左側および右側端部にヒンジＨによって上下方向に回動可能に軸着された第一天板２１および第二天板２２と、第一脚部１２の内面左側にヒンジによって水平方向に回動可能に軸着された第一レッグ体３１と、第二脚部の内面右側にヒンジによって水平方向に回動可能に軸着された第二レッグ体３２とで構成する。展開時には、天板２１，２２が略水平姿勢となり頂板部１１の上面と面一状態を形成し、レッグ体３１，３２が天板を下から支持する。折り畳み時には、レッグ体が頂板部の下位に収納状態で配置され、天板が、レッグ体に隣接して略垂直姿勢を形成する。【選択図】図１
0003213700.tif 000002
【実用新案登録請求の範囲】
【請求項１】
折り畳み自在のテーブルであって、
前後方向に延びる頂板部（１１）の前端部から第一脚部（１２）を垂下設すると共に，後端部から第二脚部（１３）を垂下設した中央部材（１０）と、
前記中央部材の左側端部にヒンジ（Ｈ）によって上下方向に回動可能に軸着された第一天板（２１）と、
前記中央部材の右側端部にヒンジによって上下方向に回動可能に軸着された第二天板（２２）と、
前記第一脚部の内面左側にヒンジによって水平方向に回動可能に軸着された第一レッグ体（３１）と、
前記第二脚部の内面右側にヒンジによって水平方向に回動可能に軸着された第二レッグ体（３２）と、を備え、
展開時には，第一天板と第二天板が略水平姿勢を形成し，それらの上面が，前記頂板部の上面と面一状態を形成し，第一レッグ体の下端が接地し，その上端が前記第一天板を下から支持し，第二レッグ体の下端が接地し，その上端が前記第二天板を下から支持し、
折り畳み時には，前記第一レッグ体が頂板部の下位左側に収納状態で配置されると共に，前記第二レッグ体が頂板部の下位右側に収納状態で配置され，前記第一天板が，前記第一レッグ体の左側に隣接して略垂直姿勢を形成すると共に，前記第二天板が前記第二レッグ体の右側に隣接して略垂直姿勢を形成することを特徴とする折り畳み式テーブル。
【考案の詳細な説明】
【技術分野】
【０００１】
本考案は、持ち運びや収納に便利で、構造が簡易な折り畳み式のテーブルに関する。
【背景技術】
【０００２】
従来から、屋外などで使用するための折り畳み式のテーブルが創案されている（例えば、特許文献１参照）。こうした折り畳み式のテーブルは、折り畳んで小型化した状態で屋外などの目的地に運び、そこで展開して通常のテーブルとして使用することができるので便利である。
【先行技術文献】
【特許文献】
【０００３】
【特許文献１】特開２０１４−１１７３５７号公報
【考案の概要】
【考案が解決しようとする課題】
【０００４】
しかし、特許文献１に記載のテーブルを含むこれまでの折り畳み式のテーブルは便利ではあるものの、必須構成部材である天板と脚に加えて、それらを補助するための支持棒や案内棒を必要としている。従って、構造が比較的複雑である。構造が複雑であると、当然ながら製造が厄介であり、その分、高価となりやすく、故障も発生し易いといった問題が発生する。
【０００５】
本考案はこうした点に鑑み創案されたもので、持ち運びや収納が便利であると共に、従来のものと比較して構造が簡易な折り畳み式のテーブルを提供することを課題とする。
【課題を解決するための手段】
【０００６】
図１乃至図７を参照して説明する。請求項１に記載の折り畳み式テーブル１は、折り畳み自在であり、前後方向に延びる頂板部１１の前端部から第一脚部１２を垂下設すると共に、後端部から第二脚部１３を垂下設した中央部材１０と、前記中央部材１０の左側端部にヒンジＨによって上下方向に回動可能に軸着された第一天板２１と、前記中央部材１０の右側端部にヒンジＨによって上下方向に回動可能に軸着された第二天板２２と、前記第一脚部１２の内面左側にヒンジＨによって水平方向に回動可能に軸着された第一レッグ体３１と、前記第二脚部１３の内面右側にヒンジＨによって水平方向に回動可能に軸着された第二レッグ体３２とを備える。
【０００７】
そして、展開時には、第一天板２１と第二天板２２が略水平姿勢を形成し、それらの上面が、前記頂板部１１の上面と面一状態を形成し、第一レッグ体３１の下端が接地し、その上端が前記第一天板２１を下から支持し、第二レッグ体３２の下端が接地し、その上端が前記第二天板２２を下から支持するように構成する。
【０００８】
また、折り畳み時には、前記第一レッグ体３１が頂板部１１の下位左側に収納状態で配置されると共に、前記第二レッグ体３２が頂板部１１の下位右側に収納状態で配置され、前記第一天板２１が、前記第一レッグ体３１の左側に隣接して略垂直姿勢を形成すると共に、前記第二天板２２が前記第二レッグ体３２の右側に隣接して略垂直姿勢を形成するように構成する。
【考案の効果】
【０００９】
請求項１に記載の折り畳み式テーブル１は、中央部材１０、天板２０（第一天板２１および第二天板２２）、およびレッグ体３０（第一レッグ体３１および第二レッグ体３２）のみで構成されるので、従来技術における折り畳み式のテーブルと比較して構成が極めて簡易である。従って、持ち運びおよび収納が便利であると共に、製造が容易であり、廉価に提供でき、さらに故障の発生を抑制することができる。
【図面の簡単な説明】
【００１０】
【図１】本考案の実施形態に係る折り畳み式テーブルの展開形態を示す正面図である。
【図２】図１に示す折り畳み式テーブルの分解正面図である。
【図３】図１に示す折り畳み式テーブルの一部断面平面図である。
【図４】図１に示す折り畳み式テーブルの右側面図である。
【図５】図１に示す折り畳み式テーブルの底面図である。
【図６】図１に示す折り畳み式テーブルの折り畳み状態を示す正面図である。
【図７】図１に示す折り畳み式テーブルの折り畳み状態を示す平面図である。
【図８】本考案の実施形態に係る折り畳み式テーブルセットの一部断面正面図である。
【図９】図８に示す折り畳み式テーブルセットの一部断面平面図である。
【考案を実施するための形態】
【００１１】
本考案に係る折り畳み式テーブルの実施形態を、図１乃至図７に示す。これは屋外などで使用することができ折り畳み式テーブルのであり、中央部材１０、第一天板２１、第二天板２２、第一レッグ体３１および第二レッグ体３２を備え、前後幅が約７０ｃｍ、左右幅が約１４０ｃｍ、高さが約７０ｃｍの木製である。なお、こうした寸法や材質は限定されず、例えば、材質に関してはプラスチックや軽金属などで形成することもできる。
【００１２】
中央部材１０は、前後方向に延びる頂板部１１の前端部から第一脚部１２を垂下設すると共に、後端部から第二脚部１３を垂下設して構成している。また、第一脚部１２と第二脚部１３の下端部間に、平板状の架設部材１４を配置して中央部材１０に充分な機械的（構造的）強度を与えている。なお、中央部材１０の第一脚部１２と第二脚部１３の上端部外面には回動式の把手Ｔを設けている（特に、図４参照）。
【００１３】
第一天板２１は、中央部材１０の左側端部にヒンジＨによって上下方向に回動可能に軸着される。第二天板２２は、中央部材１０の右側端部にヒンジＨによって上下方向に回動可能に軸着される。なお、第一天板２１と第二天板２２とで、テーブルの機能に必須の天板２０を構成する。
【００１４】
また、第一天板２１および第二天板２２は共に、複数の板材で構成した矩形状の天板本体２０ａの四方を枠体２０ｂで囲んで構成し、充分な剛性と確保している。また、天板本体２０ａには左右方向に補強板２０ｃを設けて、第一天板２１および第二天板２２の剛性を高めている（図５参照）。
【００１５】
第一レッグ体３１は、第一脚部１２の内面左側にヒンジＨによって水平方向に回動可能に軸着される。第二レッグ体３２は、第二脚部１３の内面右側にヒンジＨによって水平方向に仮想水平面上を回動可能に軸着される。この第一レッグ体３１および第二レッグ体３２はそれぞれ、基部垂直材３０ａ、上部水平材３０ｂ、下部水平材３０ｃ、および先端垂直材３０ｄで略矩形状に構成され、基部垂直材３０ａが、第一脚部１２および第二脚部１３にそれぞれ連結される。先端垂直材３０ｄの上端部には天板２０の下面に当接することのできる上部突出部３０ｅを形成し、下端部には地面に接触することのできる下部突出部３０ｆを形成している。
【００１６】
そして、展開時には、第一天板２１と第二天板２２がほぼ水平姿勢（水平姿勢またはそれに近い姿勢）を形成し、それらの上面が、頂板部１１の上面と面一状態を形成するように構成している。また、この展開時には、前記したように第一レッグ体３１の先端垂直材３０ｄの下端（下部突出部３０ｆ）が接地し、その上端（上部突出部３０ｅ）が第一天板２１を下から支持し、また、第二レッグ体３２の先端垂直材３０ｄの下端（下部突出部３０ｆ）が接地し、その上端（上部突出部３０ｅ）が第二天板２２を下から支持するように構成している。なお、この際、第一水平材の上面を、天板２０の補強板２０ｃの下面に当てて支持することもできる。
【００１７】
また、折り畳み時には、第一レッグ体３１が頂板部１１の下位左側に収納状態で配置されると共に、第二レッグ体３２が頂板部１１の下位右側に収納状態で配置されるように構成される。さらに、この折り畳み時には、第一天板２１が、第一レッグ体３１の左側に隣接してほぼ垂直姿勢（垂直姿勢またはそれに近い姿勢）を形成すると共に、第二天板２２が前記第二レッグ体３２の右側に隣接してほぼ垂直姿勢（同上）を形成する。
【００１８】
本実施形態に係る折り畳み式テーブル１は、次のように使用することができる。まず、折り畳んだ状態から、第一天板２１（第二天板２２でも良い）を上下方向に９０度以上回動した状態で、第一レッグ体３１を水平方向に所望角度回動する。この状態で、先端垂直材３０ｄの下部突出部３０ｆを接地させると共に、第一天板２１をその自重によって降下させて、その下面に上部突出部３０ｅを当接させる。これにより、第一天板２１を第一レッグ体３１で下から支持することができる。第二天板２２（第一天板２１でも良い）も同様の作業によって第二レッグ体３２によって支持する。このように、当該折り畳み式テーブル１は、天板２０とレッグ体３０をそれぞれ回動するのみで、極めて容易に展開させることができる。
【００１９】
なお、第一レッグ体３１および第二レッグ体３２の回動角度は限定されないが、第一天板２１および第二天板２２の中央部分を支持するためには４５度程度の回動が好ましい。この展開状態で折り畳み式テーブル１を通常のテーブルと同じように使用することができる。
【００２０】
展開状態の折り畳み式テーブル１を折り畳むには、第一天板２１（第二天板２２でも良い）をやや持ち上げた状態とした後、第一レッグ体３１を水平方向に回動して元の状態に戻した後、第一天板２１をその自重で上下方向に回動させて元の位置に戻す。同様に、第二天板２２も同様の作業によって元の状態に戻す。これにより、折り畳み状態とすることができる。このように当該折り畳み式テーブル１は、天板２０とレッグ体３０をそれぞれ回動するのみで、極めて容易に折り畳むことができる。
【００２１】
なお、第一脚部１２と第二脚部１３との間に架設した架設部材１４は、中央部材１０を補強する役目の他に第一レッグ体３１および第二レッグ体３２の折り畳み回動位置を設定する役目も担う。すなわち、折り畳むために回動した第一レッグ体３１は、架設部材１４の左側面に当接してその位置が決定され、第二レッグ体３２は架設部材１４の右側面に当接してその位置が決定される。従って、レッグ体３０の折り畳み作業をさらに簡単、確実かつ容易に行うことができる。
【００２２】
また、展開状態および折り畳んだ状態の折り畳み式テーブル１は、中央部材１０に設けた把手Ｔを持って持ち運ぶことができる。従って、当該折り畳み式テーブル１の持ち運びをさらに容易に行うことができる。
【００２３】
本実施形態に係る折り畳み式テーブル１は、以下の作用効果を発揮する。
（イ）中央部材１０、天板２０（第一天板２１および第二天板２２）、およびレッグ体３０（第一レッグ体３１および第二レッグ体３２）のみで構成しており、また、これらの部材を補助するための特別な機構を必要としていない。従って、持ち運びおよび収納に便利であると共に、構成が極めて簡易である。その結果、製造が容易であり、廉価に提供でき、さらに故障の発生を抑制することができる。
【００２４】
（ロ）天板２０とレッグ体３０をそれぞれ回動するのみで容易に展開状態とすることができる。従って、極めて使用性に優れる。
（ハ）天板２０とレッグ体３０をそれぞれ回動するのみで容易に折り畳み状態とすることができる。従って、極めて使用性優れる。
【００２５】
（ニ）架設部材１４によってレッグ体３０の折り畳み位置を決定するので、当該レッグ体３０の折り畳み作業をさらに容易かつ確実に行うことができる。
（ホ）中央部材１０に把手Ｔを設けたので、展開状態あるいは折り畳み状態にある折り畳み式テーブル１を、容易に持ち運びすることができる。
【００２６】
本考案に係る折り畳み式テーブルセット２の実施形態を、図８および図９に示す。これは、上記実施形態に係る折り畳み式テーブル１と、折り畳んだ状態の折り畳み式テーブル１を、その頂面、前面、後面、左側面および右側面に近接して囲むものであり、頂壁５１、前壁５２、後壁５３、左側壁５４および右側壁５５を有する有頂四角筒形状のカバー体５０とで構成される。このカバー体５０の底面には挿入開放部５７を形成しており、そこから折り畳み式テーブル１を挿入する。カバー５０の形成材料は限定されないが、例えば、ダンボールや柔軟性樹脂材などで形成することができる。
【００２７】
本実施形態に係る折り畳み式テーブルセット２は、折り畳み式テーブル１をその外面に近接するカバー体５０で囲っているので、折り畳んだ折り畳み式テーブル１の姿勢を展開させることなくそのまま保持することができる。すなわち、例えば、天板２０は左側壁５４と右側壁５５に近接するので、不意の力が作用してもその回動が未然に防止される。
【００２８】
なお、このカバー体５０には、折り畳み式テーブル１の把手Ｔを突出させることのできる大きさの開口部５６を形成している。従って、折り畳んだ状態の折り畳み式テーブル１にカバー体５０を装着して持ち運ぶ場合は、この開口部５６から把手Ｔを突出させて、その把手Ｔを把持して行うことができる。従って、この折り畳み式テーブルセット２を容易に持ち運ぶことができる。
【符号の説明】
【００２９】
１        折り畳み式テーブル
２        折り畳み式テーブルセット
１０      中央部材
１１      頂板部
１２      第一脚部
１３      第二脚部
１４      架設部材
２０      天板
２０ａ    天板本体
２０ｂ    枠体
２０ｃ    補強板
２１      第一天板
２２      第二天板
３０      レッグ体
３０ａ    基部垂直材
３０ｂ    上部水平材
３０ｃ    下部水平材
３０ｄ    先端垂直材
３０ｅ    上部突出部
３０ｆ    下部突出部
３１      第一レッグ体
３２      第二レッグ体
５０      カバー体
５１      頂壁
５２      前壁
５３      後壁
５４      左側壁
５５      右側壁
５６      開口部
５７      挿入開放部
Ｈ        ヒンジ
Ｔ        把手    
【図１】
0003213700.tif 000003
【図２】
0003213700.tif 000004
【図３】
0003213700.tif 000005
【図４】
0003213700.tif 000006
【図５】
0003213700.tif 000007
【図６】
0003213700.tif 000008
【図７】
0003213700.tif 000009
【図８】
0003213700.tif 000010
【図９】
0003213700.tif 000011